【事件の表示】
　特許第２９０７７４２号「インクジェット記録媒体の製造方法」の特許に対する特許異議の申立てについて、次のとおり決定する。
【結　論】
　特許第２９０７７４２号の請求項１ないし２に係る特許を維持する。
【理　由】
一．手続の経緯と本件発明
　本件特許第２９０７７４２号は、平成６年１２月１４日に出願され、平成１１年４月２日に特許の設定登録がなされ、その後、長谷川徹及び株式会社巴川製紙所よりそれぞれ特許異議の申立がなされた。
　本件請求項１及び２に係る発明は、明細書の特許請求の範囲請求項１及び２に記載されたとおりの、
「【請求項１】転写用基材上に多孔質な無機組成物を主成分とするインク受理層を塗設し、該インク受理層とインクジェット記録媒体の最終支持体となる被転写用基材とを該被転写用基材側に設けられかつポリビニルアルコール、ボリビニルピロリドン、ポリエチレンオキサイドより選択された接着剤で接着した後、転写用基材を剥離することにより、被転写用基材上に該転写用基材の表面形状を写しとったインク受理層表面を形成することを特徴とする、多孔質な無機組成物を主成分とするインク受理層が設けられたインクジェット記録媒体の製造方法。
【請求項２】必要に応じた光沢度を有するように離型処理を施した転写用基材面上にインク受理層を設けることを特徴とする請求項１記載のインクジェット記録媒体の製造方法。」である。
二．特許異議申立の概要
　それに対して、特許異議申立人　長谷川徹は、下記の甲第１〜３号証を提出して、本件請求項１及び２に係る発明は、それらの証拠に係る特許出願の願書に最初に添付した明細書及び図面に記載された発明であり、特許法第２９条の２第１項の規定に違反して特許されたものであり、また、本件特許は、特許法第３６条第４項又は第５項の規定を満たしていない出願に対してなされたものであって、その特許は取消されるべきであると主張する。
　特許異議申立人　株式会社巴川製紙所は、下記の甲第１〜３号証を提出して、本件請求項１及び２に係る発明は、甲第１〜３号証に記載された発明に基づいて当業者が容易に発明をすることができたものであり、特許法第２９条第２項の規定に違反して特許されたものであって、その特許は取消されるべきであると主張する。
　            　　　　　     記
　長谷川徹提出分
甲第１号証　特願平６−２１６３０２号出願の願書に最初に添付された明細書及び図面（以下、「先願１」という。特開平８−７２３８８号公報参照。以下、同公報の記載箇所にて指摘する。）
甲第２号証　特願平５−１８０６８５出願の願書に最初に添付された明細書及び図面（以下、「先願２」という。特開平７−８２６９４号公報参照。以下、同公報の記載箇所にて指摘する。）
甲第３号証　特願平６−１７１５７６出願の願書に最初に添付された明細書及び図面（以下、「先願３」という。特開平８−１１４２３号公報参照。以下、同公報の記載箇所にて指摘する。）
  株式会社巴川製紙所提出分
甲第１号証　特開昭６０−９４１７４号公報（以下、「刊行物１」という。）
甲第２号証  特開昭６３−１５１４７６号公報（以下、「刊行物２」という。）
甲第３号証　特開平６−１８３１３１号公報（以下、「刊行物３」という。）
三．判断
 (1)特許法第２９条の２第１項違反について
　先願１には、「平滑な型表面にシリカ塗工液を塗布し、これに擬ベーマイト層を有する紙基材の擬ベ一マイト層を有する面を密着させ、乾燥して擬ベーマイト層上にシリカ層を形成した後、型から紙基材を剥離してシリカ層を紙基材上に移行させる、塗工紙の製造方法。」（特許請求の範囲第２項）、「本発明は、紙基材上に擬ベーマイト層を有し、その上層にシリカ層が積層された塗工紙であって、かつ、ＪＩＳ　Ｚ８７４１に規定される６０°鏡面光沢度が３０％以上の塗工紙を提供するものである。」（段落【0006】）、「擬ベーマイト層としては、塗工量が５〜３０ｇ／m２の範囲にあることが好ましい。塗工量が５ｇ／m２未満の場合は、インクの吸収性が低下し、あるいは基材の凹凸の影響を受けて光沢性が悪くなるおそれがあるので好ましくない。」（段落【0009】の抜粋）、「本発明の塗工紙は、好ましくは、平滑な型表面にシリカ塗工液、たとえばシリカゾルおよびバインダーからなるシリカ塗工液、を塗布し、その上に紙基材を密着させ、乾燥してシリカ層を形成した後、型から紙基材を剥離してシリカ層を紙上に移行させることにより製造することができる。このとき基材となる紙は、擬ベーマイト層を形成したものを用い、その擬ベーマイト層をシリカ塗工層に密着させる必要がある。」（段落【0013】）
「紙基材上に擬ベーマイト層を形成する方法は特に限定されないが、たとえば擬ベーマイト固形分１００重量部に対しバインダーを好ましくは５〜５０重量部含み・・・・・バインダーとしては、でんぷんやその変性物、ポリビニルアルコールおよびその変性物、ＳＢＲラテックス、ＮＢＲラテックス、カルボキシメチルセルロース、ヒドロキシメチルセルロース、ポリビニルピロリドン等の高分子化合物からなる有機バインダーを、好ましく使用できる。」（段落【0014】）ことが記載されている。
　このことから、先願１には、被転写用基材である紙基材の上に、シリカ層と擬ベーマイト層から成るインク受理層を形成するに当たり、平滑な型表面にシリカゾル及びバインダーから成るシリカ塗工液を塗布してから、その上に擬ベーマイト層を有する紙基材を密着させた上で、該シリカ層を、擬ベーマイト層を介して紙基材面に移行させる方法が開示されているものと認められる。
　本件請求項１に係る発明と、先願１に記載されたものとを比較すると、請求項１に係る発明における、転写用基材、多孔質な無機組成物を主成分とするインク受理層、被転写用基材と、先願１における、平滑な型表面、シリカ層、擬ベーマイト層および紙基材とが、それぞれ、層の順序のうえで対応する。
　しかし、本件請求項１に係る発明においては、該インク受理層と該被転写基材とを、「ポリビニルアルコール、ポリビニルピロリドン、ポリエチレンオキサイドより選択された接着剤」を用いて接着する構成を、更に具備するものであるが、先願１においては、擬ベーマイト層の塗工時に、擬ベーマイト同士を結合するバインダーとしてポリビニルアルコールあるいはポリビニルピロリドンが使用できることが示されており、そのバインダーの若干量が、結果として、擬ベーマイト層中に残留することになるとしても、そのものが、シリカ層と、擬ベーマイト層および基材との接着剤として使用されるというまでの記載ないしは示唆はない。
　したがって、この点において、先願１には、本件請求項１に係る発明が記載されているとすることはできない。同じ理由で、請求項１の構成を全て引用する請求項２に係る発明も、先願１に記載されているとすることはできない。
　先願２には、「平滑な型表面に、擬ベーマイト塗工液を塗布し、その上に基材となる紙を密着させ、乾燥して擬ベーマイト層を形成した後、型から基材となる紙を剥離して擬ベーマイト層を紙上に移行させる、塗工紙の製造方法。」（特許請求の範囲第３項）、「基材となる紙がシリカ塗工層を有しており、そのシリカ塗工層のある面を型表面の擬ベーマイト塗工液に密着させる請求項３の塗工紙の製造方法。」（特許請求の範囲第４項）、「インクジェット記録方式においては、ノズルの閉塞を防止するために、インクには多量の溶媒が含まれている。そのため印字後はその溶媒の影響でインク吸収層が膨潤することがあって、特に樹脂系のインク吸収層の場合は光沢度が低下する場合があった。本発明は、インクの吸収性が良好で、高い色再現性を有し、かつ、表面の光沢性の良好な塗工紙を提供することを目的とする。」（段落【0005】）、「この型には、擬ベーマイト塗工液が塗布される。擬ベーマイト塗工液の組成としては、擬ベーマイト固形分１００重量部に対しバインダーを好ましくは５〜５０重量部含み、全体の固形分濃度が５〜３０重量％のものが好適に使用できる。・・・・・バインダーとしては、でんぷんやその変性物、ポリビニルアルコールおよびその変性物、ＳＢＲラテックス、ＮＢＲラテックス、カルボキシメチルセルロース、ヒドロキシメチルセルロース、ポリビニルピロリドン等の高分子化合物からなる有機バインダーを、好ましく使用できる。」（段落【0013】）、
「実施例２
平均粒子直径３μmのシリカゲル粉末（塩野義製薬社製、カープレックスFPS3）100重量部に、ポリビニルアルコール14重量部を加え、さらに水を加えて固形分濃度12重量％のシリカ塗工液を調整した。このシリカ塗工液を、坪量80g/m2のアート紙に、バーコーターを用いて、塗工量が固形分換算で8g/m2になるように塗工し、乾燥してベース紙を得た。次に、ゾル粒子の凝集粒子直径150nmのベーマイトゾル100重量部（固形分）に、ポリビニルアルコール13重量部を加え、さらに水を加えて固形分濃度15重量％の塗工液を調整した。この塗工液を、厚さ100μmのポリカーボネートフィルムに、バーコーターを用いて、塗工量が固形分換算で15g/m2になるように塗工したる。塗工直後の水分量は（水分/固形分）で、566％であった。これを乾燥して、水分量が375％まで減じた。この塗工面に、上記のアート紙のシリカ塗工面を密着させた後、塗工層の水分量が5％になるまで乾燥させた。その後、ポリカーボネートフィルムを剥離すると、塗工層は完全に紙に移行した。この塗工紙の60°鏡面光沢度は、41.0％であった。」（段落【0023】〜【0025】）ことが記載されている。
　本件請求項１に係る発明と、先願２に記載のもの（実施例２）とを比較すると、請求項１に係る発明における、転写用基材、多孔質な無機組成物を主成分とするインク受理層、被転写用基材と、先願２における、平滑な型表面であるポリカーボネートフィルム、シリカの塗工層、ベーマイトの層およびアート紙とが、それぞれ、層の順序のうえで対応する。
　しかし、本件請求項１に係る発明においては、該インク受理層と該被転写基材とを、「ポリビニルアルコール、ポリビニルピロリドン、ポリエチレンオキサイドより選択された接着剤」を用いて接着する構成を、更に具備するものであるが、先願２においては、シリカの層又はベーマイトの層の塗工時に、シリカゲル又はベーマイトゾル同士を結合するバインダーとしてポリビニルアルコールを使用することが示されており、そのバインダーの若干量が、結果として、シリカの層又はベーマイトの層中に残留することになるとしても、それらのものが、ベーマイトの層と、シリカの層およびアート紙との接着剤として使用されるというまでの記載ないしは示唆はない。
　したがって、この点において、先願２には、本件請求項１に係る発明が記載されているとすることはできない。同じ理由で、請求項１の構成を全て引用する請求項２に係る発明も、先願２に記載されているとすることはできない。
　先願３には、「シート状基材と、このシート状基材上に形成された内側塗工層と、この内側塗工層上に形成された外側塗工層とからなる水性インク記録シートを製造する方法において、シート状基材の一面上に、樹脂を主成分として含む塗料を塗工して内側塗工層を形成し、別に高平滑な成型面上に、水溶性あるいは水分散性樹脂を主成分として含む塗料を塗工し、乾燥して外側塗工層を形成し、該成型面上の外側塗工層と前記内側塗工層を圧着させて一体化した記録層を形成した後、該記録層から該成型面を剥離することを特徴とする水性インク記録シートの製造方法。」（特許請求の範囲）、「本発明において、外側塗工層塗料に使用する樹脂としては、例えば、ポリビニルアルコール・・・・ポリビニルピロリドン・・・・等の水溶性樹脂、及び・・・MBRラテックス等の乳化物で最低造膜温度が低く造膜性の良好な水分散性樹脂を単独又は混合して使用することができる。」（段落【0009】）、「本発明の内側塗工層塗料は、成型面より外側塗工層を剥離するために必要な外側塗工層及びシート状基材との接着性を満足する樹脂を主成分とするが、接着性を損なわない範囲で例えば色調を調製する目的等で顔料あるいは各種添加剤を配合することができる。」（段落【0015】）、「内側塗工層で使用される樹脂としては、酢酸ビニル樹脂、塩ビ共重合樹脂、アクリル酸エステル共重合樹脂、ＮＢＲ、ＳＢＲ、ＮＲ等の溶剤蒸発型樹脂、ポリアクリル酸エステル、ポリビニルエチルエーテル、ポリイソブチレン等の粘着型接着剤、エチレン−酢ビ共重合体、共縮合ポリエステル等のホットメルト型接着剤、ポリウレタン、メラミン樹脂、フェノール樹脂、アクリル系プレポリマー等の樹脂にそれぞれ架橋剤を添加した化学反応型接着剤等が挙げられる。」（【0016】）ことが記載されている。
　本件請求項１に係る発明と、先願３のものとを比較すると、請求項１に係る発明における、転写用基材、多孔質な無機組成物を主成分とするインク受理層、接着剤および被転写用基材と、先願３における、高平滑な成型面、外側塗工層、内側塗工層およびシート状基材とが、それぞれ、層の順序、並びに機能の上で対応する。
  これにより、先願３には、本件請求項１に係る発明の構成の内、
「転写用基材上に多孔質な無機組成物を主成分とするインク受理層を塗設し、該インク受理層とインクジェット記録媒体の最終支持体となる被転写用基材とを該被転写用基材側に設けられた接着剤で接着した後、転写用基材を剥離することにより、被転写用基材上に該転写用基材の表面形状を写しとったインク受理層表面を形成する多孔質な無機組成物を主成分とするインク受理層が設けられたインクジェット記録媒体の製造方法」が記載されているといえるものの、該接着剤が、ポリビニルアルコール、ポリビニルピロリドン、ポリエチレンオキサイドより選択されたものであるとすることまでは記載されていない。
　すなわち、段落【0009】には、塗料に用いる樹脂の名称を羅列した中に、ポリビニルアルコールおよびポリビニルピロリドンが認められ、各実施例にも、その両者を用いた記載があるが、それは、外側塗工層を形成するための塗料であり、本件発明に対応させると、インク受理層のことであるから、接着剤層の接着剤としてポリビニルアルコールあるいはポリビニルピロリドンを用いることは記載されていない。
　したがって、この点において、先願３には、本件請求項１に係る発明が記載されているとすることはできない。同じ理由で、請求項１の構成を全て引用する請求項２に係る発明も、先願３に記載されているとすることはできない。
　以上のとおり、本件請求項１及び２に係る発明は、先願１〜３に記載された発明ではないから、特許法第２９条の２第１項の規定に該当しない
 (2)特許法第２９条第２項違反について
　刊行物１には、「実質的に表面が平滑な剥離材（１）の表面に、金属酸化物微粉末を含有する導電性塗料（２）を塗布し、ついで、該塗料の塗布面に接着剤層（３）を介して基材（４）を貼着し、その後剥離材（１）を除去することを特徴とする導電性塗膜の形成方法。」（特許請求の範囲）が記載され、該導電性塗膜の製造工程として、「まず、第１図の工程（イ）に示すように、剥離材１に導電性塗料２を塗布する。剥離材は表面が出来るだけ平滑なものを使用する必要があり、この表面の平滑性が導電性塗料に転写され、最終的な塗膜面が平滑化し、透明性が改良される。」（第１頁右下欄第１６行〜第２頁左上欄第１行）、「第２図の工程（ロ’）に示すように、前もって接着剤層３を設けた基材４を導電性塗料２側に貼着する方法でもよい。」（第２頁左下欄第８〜１１行）、「工程（ハ）において、接着剤層３を十分反応させて固化した後、工程（ニ）に示すように剥離材１を剥離する。」（第２頁左下欄第１５〜１７行）、剥離材として、「ポリエチレン、ポリプロピレン等のポリオレフイン系樹脂、又はこれらと酢酸ビニルとの共重合体からなるフィルムが好適に使用できる。」（第２頁左上欄第７〜１０行）ことが記載されている。また、接着剤の例示の中に、「エポキシ系」（第２頁左下欄第３〜４行）が記載されている。
　刊行物２には、「支持体の表面に顔料及び結着剤を主成分とする塗料を塗工して塗工層を設け、次に該塗工層を半乾燥にした後、塗工層の表面に所望の表面形態を有する転写シートの表面を重ね合わせ、然るのち乾燥を進め、前記転写シートを塗工層表面より剥離することによって転写シートの表面形態に対応した表面状態を塗工層表面に形成せしめることを特徴とするインクジェット記録用シートの製造方法。」（特許請求の範囲）が記載され、転写シートの材質として、「ポリエステルフィルム、ポリプロピレンフィルム、ポリエチレンフィルム」（第３頁左上欄第８〜１０行）が使用されること、「転写シートの形態を適宜選択する事により様々な表面形態のインクジェット記録用シートが得られることになる。」（第２頁右下欄第９〜１２行）、該転写シートの具体的形態として、高光沢性、マット調、エンボス調等の表面形態を有していること（第３頁左上欄第３〜５行）が記載されている。
　刊行物３には、「支持体上に少なくとも一種以上の層構成を有する第１のインク受理層、最表層である第２のインク受理層を順次積層してなり、該第１のインク受理層成分が顔料、水性接着剤及びカチオン性染料定着剤を主成分とするものであり、第２のインク受理層成分が実質的に有機高分子接着剤を含まず、無機微粒子であることを特徴とするインクジェット記録シート。」（特許請求の範囲第１項）、「これらの無機微粒子からなる最表層は、無機微粒子の一次粒子径が非常に小さく表面の凹凸が微細であること、無機微粒子の表面が親水性であり、・・・および無機微粒子であることから、・・・、インク吸収性、インク受容層表面の光沢および画像記録部の光沢の並立を可能ならしめているものと考えられる。」（段落【0023】）、「本発明の最表面層は、アルミナ水和物、カチオン性コロイダルシリカ又はアニオン性コロイダルシリカの群から選ばれた２種類以上の無機微粒子の組合せで構成すること」が望ましいこと（段落【0024】）、また一次粒子径が２００ｎｍを超えてしまうと不透明性が高くなること（段落【0026】）が記載されている。
　本件明細書の記載によれば、本件請求項１に係る発明は、インクジェット記録媒体の製造方法において、「転写用基材上に多孔質な無機組成物を主成分とするインク受理層を塗設し、該インク受理層と被転写用基材とを被転写用基材側に設けられた接着剤で接着した後、転写用基材を剥離することにより、被転写用基材上に該転写用基材の表面形状を写しとったインク受理層表面を形成する」という構成を採用することによって、その余の構成と相俟って、画像品質を損なうことなく、任意の光沢面が容易でかつ安価に得ることができるインクジェット記録媒体の製造方法を提供することができたものである。
　これに対して、刊行物１には、剥離材に導電性塗料を塗布したものに、前もって接着剤層（エポキシ系等の）を設けた基材を導電性塗料側に貼着し、剥離材のみを剥離することが記載されているが、このものは、導電性被膜の平滑性を改善させることにより、透明性を向上することを目的とするだけであって、本件請求項１に係る発明のように、画像品質を損なうことなく、任意の光沢面形成することに配慮するものではない。
　次に、刊行物２には、インクジェット記録シートにおいて、予め設けられた塗工層（インク受理層に相当）の表面に、転写シート重ね、その後剥離することにより、転写シートの表面状態に対応した塗工層表面を形成させるものであり、また、そのことにより高光沢性のインクジェット記録シートが得られるものであるが、ここでの発明は、本件請求項１に係る発明の構成のように、「転写用基材上に受理層を塗設し、該インク受理層と被転写用基材とを被転写用基材側に設けられた接着剤で接着した後、転写用基材を剥離することにより、被転写用基材上に該転写用基材の表面形状を写しとったインク受理層表面を形成する」というものではなく、また、その構成が示唆されるものでもない。
　刊行物３では、様々な粒径のコロイダルシリカ等の無機微粒子を用いることにより、インクジェット記録シートの光沢性を変化させることができる旨示唆されるとしても、上記の本件請求項１に係る発明の構成については何も示されない。
　してみれば、刊行物１〜３の記載からは、画像品質を損なうことなく、任意の光沢面が容易でかつ安価に得ることができるインクジェット記録媒体の製造方法を提供するための構成である、「転写用基材上に多孔質な無機組成物を主成分とするインク受理層を塗設し、該インク受理層と被転写用基材とを被転写用基材側に設けられた接着剤で接着した後、転写用基材を剥離することにより、被転写用基材上に該転写用基材の表面形状を写しとったインク受理層表面を形成する」ことを、容易に導き出すことができない。
　したがって、本件請求項１に係る発明が、刊行物１〜３に記載された発明に基づいて当業者が容易に発明をすることができたものとすることはできない。
　また、本件請求項２に記載のものは、同請求項１に記載されるものを全て引用するものであり、したがって、本件請求項２に係る発明は、同請求項１に係るものと同じ理由により、刊行物１〜３に記載された発明に基づいて当業者が容易に発明をすることができたものとすることはできない。
 (3)特許法第３６条違反について
　特許異議申立人　長谷川徹が、本件特許明細書について記載不備を主張する点は、本件明細書に記載された実施例３〜７は、請求項１に規定する、「ポリビニルアルコール、ポリビニルピロリドン、ポリエチレンオキサイドより選択された接着剤」で接着されていないから、実施例ではなく、従来例である。その従来例である実施例３における効果が、実施例１、２のものと比較して、同等ないし優れるというのであるから、本件明細書には記載不備がある、というものである。
　以下、この点につき、検討する。
　実施例３は、明細書の補正により使用する接着剤の種類を限定したことにより、本件請求項に係る発明の範囲外の具体例となったものであるが、その実施例３に記載のものが、本件請求項に係る発明の具体例である実施例１及び２に記載のものに対して、同等、ないしは、部分的にそれ以上の優れた効果を奏するとしても、そのことのみから、本件請求項に係る発明が有用な効果を奏しないとまでいえるものではない。
　一方、本件請求項に係る発明は、インクジェット記録媒体の製造方法において、「転写用基材上に多孔質な無機組成物を主成分とするインク受理層を塗設し、該インク受理層と被転写用基材とを被転写用基材側に設けられた接着剤で接着した後、転写用基材を剥離することにより、被転写用基材上に該転写用基材の表面形状を写しとったインク受理層表面を形成する」という前記した構成を備えるだけでなく、更に、「ポリビニルアルコール、ポリビニルピロリドン、ポリエチレンオキサイドより選択された接着剤」で接着することをその発明の構成の一つとすることにより（その余の構成と相俟って）、画像品質を損なうことなく、任意の光沢面が容易でかつ安価に得ることができるインクジェット記録媒体の製造方法を提供することができたものであるが、このことは、本件請求項に係る発明の具体例であるところの実施例１及び２の記載（その表１における評価の記載を含む）によって、確認できるものである。
　してみれば、そのような実施例3に記載のものが、特許異議申立人のいうような効果を示したとしても、そのことから、直ちに、特許請求の範囲には発明の構成に欠くことのできない事項のみが記載されていないとまでいえるものでなく、また、明細書には当業者が容易にその実施をすることができる程度に発明が記載されていないといえるものでもない。
　よって、本件明細書には特許異議申立人のいう記載不備があるといえない。
四．むすび
　以上のとおりであるから、特許異議申立の理由及び証拠方法によっては、本件請求項１及び２に係る発明に係る特許を取消すことはできない。
　また、他にそれら特許を取消すべき理由を発見しない。
　よって、結論のとおり決定する。
【異議決定日】
平成１２年４月１０日（２０００．４．１０）